(57)【要約】      （修正有）【課題】改良された、針縮退式安全注射器に用いられる筒型プランジャーを提供する。【解決手段】当該筒型プランジャーは、筒体１と、針縮退トリガー及び支持部材３を備える。筒体１の先端部にシールゴムパッキング５が被せられ、筒体１の前部の筒壁に溝孔１０２が設けられ、溝孔１０２内に受け片４が設けられ、受け片４の一端が溝孔１０２の前側壁と連なっている。筒体１と支持部材３には互いにアダプトされる係合構造が設けられ、この係合構造によって該支持部材３は筒体１内に取外し可能に係合される。支持部材は、筒体との係合から取外されると、針の縮退力の作用により、受け片を、針が筒体内に縮退するまで復元させるように後方へ変位する。【選択図】図１
2008253767.tif 000002
【特許請求の範囲】
【請求項１】
筒体１と、針縮退トリガーと、支持部材３とを有し、前記筒体１の前部にシールゴムパッキング５が被せられた、改良された針縮退式安全注射器に用いられる筒型プランジャーにおいて、
前記筒体１の前部の筒壁に溝孔１０２が設けられ、溝孔１０２内に受け片４が設けられ、受け片４の一端が溝孔１０２の前側壁と連結され、組み立てる際に、前記受け片４は筒体１の筒内へ横方向に復元可能に折り返して前記針縮退トリガーを支承し、
前記針縮退トリガーは、筒体１のチャンバーの先端に設けられ且つ横方向に折り返された受け片４に支承され、
前記支持部材３は、前記筒体１内に設けられており、その前端が横方向に折り返された受け片４を支承していて、その後端には、筒体１の後端開口を密封するためのベース３０１が設けられ、
前記筒体１と前記支持部材３には、互いに係合される係合構造が設けられ、組み立て時に、支持部材３は筒体１内に外し可能に係合され、
前記支持部材３は、筒体１から外された後、針の縮退力の作用により、後方へ変位して、受け片４を、前記針縮退トリガーと前記針とが筒１内に縮むまで復元させることを特徴とする改良された針縮退式安全注射器に用いられる筒型プランジャー。
【請求項２】
前記針縮退トリガーは、前部が密封された押し棒２であり、組み立て後、押し棒２の前端は筒体１の前部に形成されたチャンバーの開口とシールゴムパッキング５との外に突出し、しかも突出部分は、端部が面一の管状構造を有し、または端部が長手方向に延びる歯状突起を有する管状構造を有していることを特徴とする請求項１に記載の針縮退式安全注射器に用いられる筒型プランジャー。
【請求項３】
前記支持部材３は、前端が開口し、後端が密封された筒状体であり、筒状体の後部の筒壁には少なくとも１つの開口３０２が開けられており、前記開口３０２の後縁の筒壁には、筒状体の軸方向に沿って前方へ延びる弾性条６が設けられ、前記弾性条６の外壁には、第１凸部６０１が設けられ、前記第１凸部６０１は、半球形、三角形またはトップ面が斜面である他の形状であり、
前記筒体１の筒壁が前記第１凸部６０１の位置に対応する位置にウインドー１０１が開けられ、
組み立てる時に、第１凸部６０１がウインドー１０１の後端に支承され且つウインドー１０１の外に突出していることにより、前記支持部材３を筒体１内に取外し可能に係合させることを特徴とする請求項２に記載の針縮退式安全注射器に用いられる筒型プランジャー。
【請求項４】
前記支持部材３の前端の、前記受け片４の復元位置に対応する筒壁には、受け片の復元に適する切欠きが設けられており、
前記開口３０２とウインドー１０１は互いに対向して２つ設置され、各開口３０２には弾性条６が設けられ、各第１凸部６０１は、各弾性条６の外壁上の同一位置に設けられていることを特徴とする請求項３に記載の針縮退式安全注射器に用いられる筒型ブランジャ。
【請求項５】
前記筒体１の前部筒壁上の溝孔１０２は、筒体１の中後部まで延伸するとともに、溝孔１０３が溝孔１０２に対向する筒体１の筒壁に設けられ、
前記支持部材３は、ベース３０１と、２本の弾性条６と、２つの第１凸部６０１を有し、前記２本の弾性条６は前記ベース３０１の前端面において対向して設置され、且つ筒体１の軸方向に沿って前へ延び、前記弾性条６は、その長さと位置がそれぞれ前記２つの溝孔１０２、１０３と係合するように設定され、前記２つの第１凸部６０１は、それぞれ前記２本の弾性条６の外壁に設けられ、２つの第１凸部６０１は、半球形、三角形、またはトップ面が斜面である他の形状であり、
組み立てる時に、前記第１凸部６０１は、それぞれ２つの溝孔１０２、１０３の後溝縁において支承され、かつ溝孔１０２、１０３の外に突出していることにより、前記支持部材３を筒体１内に取外し可能に係合させ、
前記受け片４は、横方向に折り返した後、少なくとも一本の前記弾性条６の前端において支承されることを特徴とする請求項２に記載の針縮退式安全注射器に用いられる筒型プランジャー。
【請求項６】
前記筒体１の中後部の筒壁に、２つの対向するウインドー１０１が設けられており、
前記支持部材３は、ベース３０１と、２本の弾性条６と、支持条３０３とを有しており、弾性条６と支持条３０３はともにベース３０１の前端面に設置され、且つ筒体１の軸方向に沿って前方へ延び、２本の弾性条６の外壁にはそれぞれ第１凸部６０１が設けられ、第１凸部６０１は、半球形、三角形、またはトップ面が斜面である他の形状であり、支持条３０３の長さは、横方向に折り返された後の、筒体１のチャンバーにおける受け片４の位置と適合し、支持条３０３の、ベース３０１における設置方向は受け片４の設置方向と適合され、これにより受け片４が横方向に折り返された後、受け片４は支持条３０３の前端において支承され、
組み立てる時に、第１凸部６０１は、ウインドー１０１の後端において支承されるとともにウインドー１０１の外に突出していることにより、前記支持部材３を筒体１内に取外し可能に係合させることを特徴とする請求項２に記載の針縮退式安全注射器に用いられる筒型プランジャー。
【請求項７】
前記筒体１の後部の内壁に、環状の突出した保持リングが設けられ、これにより、支持部材３は、受け片４が復元した後、前記保持リングに再び阻止されるまで後方へ変位することを特徴とする請求項３、４、５または６に記載の針縮退式安全注射器に用いられる筒型プランジャー。
【請求項８】
前記弾性条６の外壁には、第２凸部６０２が更に設けられ、第２凸部６０２は前記第１凸部６０１の後方に設置され、第１凸部６０１の後端面と第２凸部６０２の後端面との間の距離は、前記押し棒２および針が筒体１内に縮むまで前記受け片４を復元させるのに必要な、支持部材３の後方への変位距離と同等又はそれより長く、第２凸部６０２の突起高さは、第１凸部６０１の突起高さより小さいか又は同等であり、
組み立てる際に、第１凸部６０１と第２凸部６０２とは、前記ウインドー１０１に取り付けられると共にウインドー１０１の外に突出し、第２凸部６０２は、前記ウインドー１０１の後端に支承されることにより、前記支持部材３を筒体１内に取外し可能に係合させることを特徴とする請求項３、４、または６に記載の針縮退式安全注射器に用いられる筒型プランジャー。
【請求項９】
前記筒体１の中後部の筒壁に、少なくとも１つのウインドー１０１が開けられ、
前記支持部材３は、前端が開口し、後端が密封された筒状体であり、該筒状体の中後部の筒壁の、各ウインドー１０１と対応する位置には開口３０２が開けられ、開口３０２の前側の筒壁に、該筒状体の軸方向に沿って後方へ伸びる弾性条６が設けられ、弾性条６の外壁に、第１凸部６０１が設けられ、第１凸部６０１は、半球形、三角形、またはトップ面が斜面である他の形状であり、
組み立てる時に、第１凸部６０１は、ウインドー１０１の後端に支承されると共にウインドー１０１の外に突出していることにより、前記支持部材３を筒体１内に取外し可能に係合させることを特徴とする請求項２に記載の針縮退式安全注射器に用いられる筒型ブランジヤー。
【請求項１０】
前記筒状支持部材３の前端の、前記受け片４の復元位置に対応する筒壁には、前記受け片４の復元に適する切欠きが設けられ、前記筒体１の筒壁に設置されたウインドー１０１および筒状支持部材３の筒壁に設置された開口３０２は、それぞれ２つかつ実質的に対称的に設けられ、前記弾性条６およびこれに設置された第１凸部６０１もそれぞれ２組対称的に設けられ、
弾性条６には、第１凸部６０１の後方に位置する第２凸部６０２も設けられており、前記第１凸部６０１の後端面と前記第２凸部６０２の後端面との間の距離は、前記受け片４を、前記押し棒２と針が筒体１内に縮むまで復元させるのに必要な、筒状支持部材３の後向きの変位距離と同等又はそれより長く、第２凸部６０２の突起高さは第１凸部６０１の突起高さより同等又はそれより低く、
組み立てる際に、第１凸部６０１と第２凸部６０２は、共に前記ウインドー１０１に取り付けられ且つウインドー１０１の外に突出しており、第２凸部６０２はウインドー１０１の後端において支承されていることにより、前記支持部材３を筒体１内に取外し可能に係合させることを特徴とする請求項９に記載の針縮退式安全注射器に用いられる筒型ブランジヤー。
【請求項１１】
前記支持部材３は、１つの前筒と１つの後筒とを組み合わせてなり、
前記前筒の前端の、前記受け片４の復元位置に対応する筒壁に、受け片の復元に適する切欠きが設けられ、前筒の後端と前記後筒の前端には、ぞれぞれ相互に係合される組合せ構造が設けられ、
前記開口３０２は、前記後筒の、前記前筒と組み合わせる部位の後方の筒壁に設けられていることを特徴とする請求項３に記載の針縮退式安全注射器に用いられる筒型ブランジヤー。
【請求項１２】
前記後筒の前端の、前記前筒と組み合わせる部位の外径は、後筒の他の部分の外径よりも小さく、且つ前記前筒の内径と適合し、前記後筒の前端の、前記前筒と組み合わせる部位に位置決めブロック３０５が設けられ、
前記前筒の後端の、前記後筒と組み合わせる部位の筒壁には、前記位置決めブロック３０５と適合される位置決め溝または位置決め孔３０４が設けられ、
前記第１凸部６０１の後方には、第２凸部６０２が設けられ、且つ第１凸部６０１の突起高さは第２凸部６０２の突起高さと同等又はそれより高く、第１凸部６０１の後端面と前記第２凸部６０２の後端面との間の距離は、前記受け片４を、前記押し棒２と針が筒体１内に縮むまで復元させるのに必要な、支持部材３の後向きの変位距離と同等又はそれより長く、
組み立てる際に、第１凸部６０１と第２凸部６０２は、共に前記ウインドー１０１に取り付けられると共にウインドー１０１の外に突出しており、第２凸部６０２は前記ウインドー１０１の後端において支承されていることにより、前記支持部材３を筒体１内に取外し可能に係合させることを特徴とする請求項１１に記載の針縮退式安全注射器に用いられる筒型プランジャー。
【請求項１３】
１つの保護スリーブ９を更に有し、前記保護スリーブ９は、太い筒９０１と細い筒９０２とを連接してなり、太い筒９０１の内径は、前記注射器の針筒の外径より長いか又は同等であり、
前記筒体１の後部の外壁に、フランジ１０４が環状に形成され、
細い筒９０２の内径は、筒体１の外径と適合し、細い筒９０２の内壁に、前記フランジ１０４と係合出来る凹溝９０３が環状に形成され、
組み立てる際に、保護スリーブ９は筒体１の後端に組み合わせられ、凹溝９０３とフランジ１０４との係合により固定されており、これにより太い筒９０１が、前記筒体１と前記支持部材３との間の係合部位を囲むことを特徴とする請求項、２、３、４、５、６、９、１０、１１または１２に記載の針縮退式安全注射器に用いられる筒型プランジャー。
【請求項１４】
密封パッキング１０と圧縮可能な針ストッパー１１とを更に備え、前記密封パッキング１０は、前記押し棒２と前記筒体１の前端の筒壁との間に取り付けられ、
前記押し棒２の前部に、チャンバーが設けられ、前記針ストッパー１１は前記チャンバー内に設置され、針ストッパー１１の前端は、押し棒２のチャンバーの開口を閉鎖した後、押し棒２の前端に突出することを特徴とする請求項１３に記載の針縮退式安全注射器に用いられる筒型プランジャー。
【請求項１５】
前記筒体１がシールゴムパッキング５に組み付けられた後、面一の端部または横方向の歯状突起を有する端部を有する管状前端が露出され、
圧縮可能な針ストッパー１１によって前記押し棒２を取替え可能であり、前記針ストッパー１１は、止め棒１２と止め棒１２の後部に設置され且つ該止め棒１２を支承するスプリング１３とを有し、
針ストッパー１１を配置するための、前記筒体１の前端に設けられたチャンバーは、前チャンバーとリアチャンバーを有し、前記前チャンバーの内径は止め棒１２の外径と適合され、前記リアチャンバーの内径は止め棒１２の外径よりも大きく、
止め棒１２の、前記チャンバーに対応する棒本体には、凹溝が環状に設けられ、前記凹溝内に、密封リング１４が配置され、止め棒１２の、前記リアチャンバーに対応する棒本体には、少なくとも一周の突起した方向決めリング１５が設けられ、方向決めリング１５の外径は前記リアチャンバーの内径と適合され、
針ストッパー１１の前端は、筒体１の前端の開口を封じた後、筒体１の前端に突出し、針ストッパー１１の後端は、圧縮可能に前記受け片４に支承され、
止め棒１２の前端面に凹溝１２０１が設けられ、
筒体１の管状前端の管壁にも前記凹溝１２０１に連通するスリットが設けられることを特徴とする請求項１３に記載の針縮退式安全注射器に用いられる筒型プランジャー。
【請求項１６】
前記針縮退トリガーを針受け部材によって取り替え可能であり、前記筒体１がシールゴムパッキング５に組み付けられた後、面一の端部または縦方向の歯状突起を有する端部を有する管状前端が露出されることを特徴とする請求項１に記載の針縮退式安全注射器に用いられる筒型プランジャー。
【請求項１７】
針筒１７と、針が固着された針床１８と、針床スリーブ１９と、スプリング２０と、Ｏリング２１と、押し棒とを備えた針縮退制御可能な安全注射器において、
前記押し棒は、請求項１３に記載の筒型プランジャーであり、
前記針筒１７の前端に、針筒１７の軸方向へ縮小する肩部が形成され、前記肩部から前方へスリーブ１７０１が延出し、スリーブ１７０１の、記肩部との連接箇所の内壁にフランジ１７０２が設けられ、スリーブ１７０１の外壁には、係合、挿接又はねじ山による連接構造１７０３が設けられ、
前記針床１８は、管状体であり、その中間に貫通孔があり、針は針床１８の貫通孔内に固定され、針床１８の後端にはラッパ型ベースが設けられ、針床１８はスリーブ１７０１内に取り付けられ、
前記Ｏリング２１は、針床１８のラッパ型ベースの狭部に被せられ、且つスリーブ１７０１の内壁上のフランジ１７０２と嵌合され、針床１８をスリーブ１７０１内に取外し可能に固着し、
前記スプリング２０は針床１８に取付けられ、その後端が針床１８のラッパ型ベースに支承され、
前記針床スリーブ１９は、後へ開口するチャンバーを有し、その内径はスリーブ１７０１の外径と適合され、針床スリーブ１９の内壁には、スリーブ１７０１の外壁上の係合、挿接又はねじ山構造と適合できる係合、挿接又はねじ山構造１９０１が設けられ、針床スリーブ１９の密閉前端に１つの針孔が設けられ、針床スリーブ１９が、針床１８が装着されたスリーブ１７０１に係合、挿接又はねじ山接続される時、針は前記針孔から伸び出て、針床スリーブ１９の密閉前端はスプリング２０の前端を押し付け、且つスプリング２０を該密閉前端と針床１８のラッパ型ベースとの間に予め押し付け、
前記筒型プランジャーは針筒１７内に取り付けられており、筒型プランジャーが針筒１７のチャンバーの突き当たりまで押されると、筒型プランジャー上の押し棒２又は筒体１の管状前端は、Ｏリング２１を押し進めて全体又は局部的に変位させることにより、針床１８とスリーブ１７０１との間の固着関係を緩めるとともに、針筒１７の後端は、筒型プランジャーにおける支持部材３と筒体１との間の係合関係を緩め、支持部材３を解放させることを特徴とする針縮退制御可能な安全注射器。
【請求項１８】
針筒１７と、針が固着された針床１８と、針床スリーブ１９と、スプリング２０と、Ｏリング２１と、押し棒とを備えた針縮退制御可能な安全注射器において、
前記押し棒は、請求項１３に記載の筒型プランジャーであり、
前記針筒１７の前端に、針筒１７の軸方向へ縮小する肩部が形成され、前記肩部から前方へスリーブ１７０１が延出し、
前記針床１８は、管状体であり、その中間に貫通孔があり、針は針床１８の貫通孔内に固定され、針床１８の後端にはラッパ型ベースが設けられ、
前記針床スリーブ１９は、１つの第１スリーブ１９０２と１つの第２スリーブ１９０３とを有し、第１スリーブ１９０２の前端は閉塞されながら針孔が設けられ、第２スリーブ１９０３の後端内壁には、フランジ１９０４が設けられ、第２スリーブ１９０３と第１スリーブ１９０２は、ねじ山、挿接又は係合によって一体に連結され、或いは粘着又は超音波溶接により固定連結され、
前記Ｏリング２１は、針床１８のラッパ型ベースの狭部に被せられ、且つ第２スリーブ１９０３の後端の内壁上のフランジ１９０４と嵌合され、針床１８を針床スリーブ１９内に取外し可能に固着し、
前記スプリング２０は針床１８に取付けられ、その後端が針床１８のラッパ型ベースに支承され、
針床１８は、針床スリーブ１９内に取り付けられ、針は第１スリーブ１９０２の前端の針孔から伸出し、第１スリーブ１９０２の密閉前端はスプリング２０の前端を押し付け、且つスプリング２０を該密閉前端と針床１８のラッパ型ベースとの間に予め押し付け、
針床スリーブ１９と針筒１７のスリーブ１７０１は、ねじ山、挿接又は係合方式で取外し可能に連結され、
前記筒型プランジャーは針筒１７内に取り付けられており、筒型プランジャーが針筒１７のチャンバーの突き当たりまで押されると、筒型プランジャー上の押し棒２又は筒体１の管状前端は、Ｏリング２１を押し進めて全体又は局部的に変位させることにより、針床１８と針床スリーブ１９との間の固着関係を緩めるとともに、針筒１７の後端は、筒型プランジャーにおける支持部材３と筒体１との間の係合関係を緩め、支持部材３を解放させることを特徴とする針縮退制御可能な安全注射器。
【請求項１９】
前記押し棒は、請求項１５に記載の筒型プランジャーであり、
前記第１スリーブ１９０２の前端の針孔は、内向きのラッパ型の構造を有し、前記針床１８の前部にも、前記ラッパ型構造の形状とアダプトされる錐状構造が設けられ、
組み立て後、前記針孔のラッパ型構造と針床１８の前部の錐状構造とが相互にアダプトすることにより、針床１８が固着されることを特徴とする請求項１５に記載の針縮退制御可能な安全注射器。
【請求項２０】
前記押し棒は、請求項１４に記載の筒型プランジャーであり、
前記第１スリーブ１９０２の前端の針孔は、内向きのラッパ型の構造を有し、前記針床１８の前部にも、前記ラッパ型構造の形状とアダプトされる錐状構造が設けられ、
組み立て後、前記針孔のラッパ型構造と針床１８の前部の錐状構造とが相互にアダプトすることにより、針床１８が固着されることを特徴とする請求項１８に記載の針縮退制御可能な安全注射器。
【請求項２１】
前記押し棒は、請求項１５に記載の筒型プランジャーであり、
前記針床スリーブ１９の前端の針孔は、内向きのラッパ型の構造を有し、前記針床１８の前部にも、前記ラッパ型構造の形状とアダプトされる錐状構造が設けられ、
組み立て後、前記針孔のラッパ型構造と針床１８の前部の錐状構造とが相互にアダプトすることにより、針床１８が固着されることを特徴とする請求項１７に記載の針縮退制御可能な安全注射器。
【請求項２２】
請求項１６に記載の筒型プランジャーを備えたことを特徴とする針縮退制御可能な安全注射器。
【発明の詳細な説明】
【技術分野】
【０００１】
本発明は、医療器械に関し、特に改良された針縮退式安全注射器に用いる筒型プランジャー及びこの筒型プランジャーを備えた注射器に関するものである。
【背景技術】
【０００２】
注射器は、医療分野において経常且つ大量に使用される医療器械である。注射器が重複に使用されると、疾病は異なる患者の間に伝播され、互いに感染され、公衆の健康に危害をもたらすことになる。不当利益を獲得しようとするために、使用後に廃棄された使い捨ての注射器が収集され処理を経て再度に医療市場に投入されるケースが生じたことにより、数多くの疾病の拡散と伝播を招く原因となる。又、医務従業者が注射操作を行った後、針が外に露出されているので、医務人員又は廃物収集者は刺傷され、疾病の感染又は伝染が招かれる。
【０００３】
注射器の重複使用を阻止し、一旦使用されると自己破壊され、実質的に使い捨てとし、使用後の注射器による刺傷事件の発生を防止するために、針縮退式使い捨て注射器の技術考案が提案されており、しかもこれを基に注射器の筒型プランジャーを改良することによって注射器の自己破壊と針縮退の制御可能性が図られている。
【０００４】
例えば、ＺＬ２００５２００１５７０４．２の中国実用新案の特許においては、新たな針縮退式安全注射器に用いられる筒型プランジャーが開示されると共に、前記筒型プランジャーを用いる安全注射器が開示される。該技術考案は、筒型プランジャーの外筒と内筒の取り合わせ関係により受け片を制御すると同時に、受け片を利用して押し棒及びリリーフされた針床の縮退を制御することにより、注射器の注射後の自己破壊と針縮退の制御可能性が図られた。また、重複使用を防止すると共に、注射後の針の露出による刺傷事故の発生危険を解消している。
【０００５】
この技術考案は、注射器の針の注射後の縮退制御を達しているにも関わらず、技術上、以下の欠陥が存在している。（１）該筒型プランジャーの技術考案の構成は複雑で、加工しにくく、組立プロセスも割合に複雑であるため、加工コストが高い。（２）該筒型プランジャーの構成は複雑であるので、容積単位の小さい注射器例えば１ｍｌの注射器に適用できない。
【発明の開示】
【発明が解決しようとする課題】
【０００６】
本発明は、従来技術の上記欠点を解消し、構成がシンプルで、加工と組立が容易で且つ針縮退制御可能な筒型プランジャーを提供すると共に、この筒型プランジャーが装着された注射器を提供することを目的とする。
【課題を解決するための手段】
【０００７】
上記目的を達成するために、本発明は、改良された、針縮退式安全注射器に用いられる筒型プランジャーを提供した。本発明は、筒体と、針縮退トリガーと、支持部材とを有し、前記筒体の前部にシールゴムパッキングが被せられた、改良された針縮退式安全注射器に用いられる筒型プランジャーにおいて、前記筒体の前部の筒壁に溝孔が設けられ、溝孔内に受け片が設けられ、受け片の一端が溝孔の前側壁と連結され、組み立てる際に、前記受け片は筒体の筒内へ横方向に復元可能に折り返して前記針縮退トリガーを支承し、前記針縮退トリガーは、筒体のチャンバーの先端に設けられ且つ横方向に折り返された受け片に支承され、前記支持部材は、前記筒体内に設けられており、その前端が横方向に折り返された受け片を支承していて、その後端には、筒体の後端開口を密封するためのベースが設けられ、前記筒体と前記支持部材には、互いに係合される係合構造が設けられ、組み立て時に、支持部材は筒体内に外し可能に係合され、前記支持部材は、筒体から外された後、針の縮退力の作用により、後方へ変位して、受け片を、前記針縮退トリガーと前記針とが筒内に縮むまで復元させることを特徴とする改良された針縮退式安全注射器に用いられる筒型プランジャーである。
【０００８】
本発明の更なる改良による針縮退式安全注射器に用いられる筒型プランジャーには、前記針縮退トリガーは、前部が密封された押し棒であり、組み立て後、押し棒の前端は筒体の前部に形成されたチャンバーの開口とシールゴムパッキングとの外に突出し、しかも突出部分は、端部が面一の管状構造を有し、または端部が長手方向に延びる歯状突起を有する管状構造を有している。
【０００９】
本発明の更なる改良による針縮退式安全注射器に用いられる筒型プランジャーには、前記支持部材は、前端が開口し、後端が密封された筒状体であり、筒状体の後部の筒壁には少なくとも１つの開口が開けられており、前記開口の後縁の筒壁には、筒状体の軸方向に沿って前方へ延びる弾性条が設けられ、前記弾性条の外壁には、第１凸部が設けられ、前記第１凸部は、半球形、三角形、またはトップ面が斜面である他の形状であり、前記筒体の筒壁が前記第１凸部の位置に対応する位置にウインドーが開けられ、組み立てる時に、第１凸部がウインドーの後端に支承され且つウインドーの外に突出していることにより、前記支持部材を筒体内に取外し可能に係合させる。
【００１０】
本発明の更なる改良による針縮退式安全注射器に用いられる筒型プランジャーには、前記支持部材の前端の、前記受け片の復元位置に対応する筒壁には、受け片の復元に適する切欠きが設けられており、前記開口とウインドーは互いに対向して２つ設置され、各開口には弾性条が設けられ、各第１凸部は、各弾性条の外壁上の同一位置に設けられている。
【００１１】
本発明の更なる改良による針縮退式安全注射器に用いられる筒型プランジャーには、前記筒体の前部筒壁上の溝孔は、筒体の中後部まで延伸するとともに、溝孔が溝孔に対向する筒体の筒壁に設けられ、前記支持部材は、ベースと、２本の弾性条と、２つの第１凸部を有し、前記２本の弾性条は前記ベースの前端面において対向して設置され、且つ筒体の軸方向に沿って前へ延び、前記弾性条は、その長さと位置がそれぞれ前記２つの溝孔と係合するように設定され、前記２つの第１凸部は、それぞれ前記２本の弾性条の外壁に設けられ、２つの第１凸部は、半球形、三角形、またはトップ面が斜面である他の形状であり、組み立てる時に、前記第１凸部は、それぞれ２つの溝孔の後溝縁において支承され、かつ溝孔の外に突出していることにより、前記支持部材を筒体内に取外し可能に係合させ、前記受け片は、横方向に折り返した後、少なくとも一本の前記弾性条の前端において支承される。
【００１２】
本発明の更なる改良による針縮退式安全注射器に用いられる筒型プランジャーには、前記筒体の中後部の筒壁に、２つの対向するウインドーが設けられており、前記支持部材は、ベースと、２本の弾性条と、支持条とを有しており、弾性条と支持条はともにベースの前端面に設置され、且つ筒体の軸方向に沿って前方へ延び、２本の弾性条の外壁にはそれぞれ第１凸部が設けられ、第１凸部は、半球形、三角形、またはトップ面が斜面である他の形状であり、支持条の長さは、横方向に折り返された後の、筒体のチャンバーにおける受け片の位置と適合し、支持条の、ベースにおける設置方向は受け片の設置方向と適合され、これにより受け片が横方向に折り返された後、受け片は支持条の前端において支承され、組み立てる時に、第１凸部は、ウインドーの後端において支承されるとともにウインドーの外に突出していることにより、前記支持部材を筒体内に取外し可能に係合させる。
【００１３】
本発明の更なる改良による針縮退式安全注射器に用いられる筒型プランジャーには、前記筒体の後部の内壁に、環状の突出した保持リングが設けられ、これにより、支持部材は、受け片が復元した後、前記保持リングに再び阻止されるまで後方へ変位する。
【００１４】
本発明の更なる改良による針縮退式安全注射器に用いられる筒型プランジャーには、前記弾性条の外壁には、第２凸部が更に設けられ、第２凸部は前記第１凸部の後方に設置され、第１凸部の後端面と第２凸部の後端面との間の距離は、前記押し棒および針が筒体内に縮むまで前記受け片を復元させるのに必要な、支持部材の後方への変位距離と同等又はそれより長く、第２凸部の突起高さは、第１凸部の突起高さより小さいか又は同等であり、組み立てる際に、第１凸部と第２凸部とは、前記ウインドーに取り付けられると共にウインドーの外に突出し、第２凸部は、前記ウインドーの後端に支承されることにより、前記支持部材を筒体内に取外し可能に係合させる。
【００１５】
本発明の更なる改良による針縮退式安全注射器に用いられる筒型プランジャーには、前記筒体の中後部の筒壁に、少なくとも１つのウインドーが開けられ、前記支持部材は、前端が開口し、後端が密封された筒状体であり、該筒状体の中後部の筒壁の、各ウインドーと対応する位置には開口が開けられ、開口の前側の筒壁に、該筒状体の軸方向に沿って後方へ伸びる弾性条が設けられ、弾性条の外壁に、第１凸部が設けられ、第１凸部は、半球形、三角形、またはトップ面が斜面である他の形状であり、組み立てる時に、第１凸部は、ウインドーの後端に支承されると共にウインドーの外に突出していることにより、前記支持部材を筒体内に取外し可能に係合させる。
【００１６】
本発明の更なる改良による針縮退式安全注射器に用いられる筒型プランジャーには、前記筒状支持部材の前端の、前記受け片の復元位置に対応する筒壁には、前記受け片の復元に適する切欠きが設けられ、前記筒体の筒壁に設置されたウインドーおよび筒状支持部材の筒壁に設置された開口は、それぞれ２つかつ実質的に対称的に設けられ、前記弾性条およびこれに設置された第１凸部もそれぞれ２組対称的に設けられ、弾性条には、第１凸部の後方に位置する第２凸部も設けられており、前記第１凸部の後端面と前記第２凸部の後端面との間の距離は、前記受け片を、前記押し棒と針が筒体内に縮むまで復元させるのに必要な、筒状支持部材の後向きの変位距離と同等又はそれより長く、第２凸部の突起高さは第１凸部の突起高さより同等又はそれより低く、組み立てる際に、第１凸部と第２凸部は、共に前記ウインドーに取り付けられ且つウインドーの外に突出しており、第２凸部はウインドーの後端において支承されていることにより、前記支持部材を筒体内に取外し可能に係合させる。
【００１７】
本発明の更なる改良による針縮退式安全注射器に用いられる筒型プランジャーには、前記支持部材は、１つの前筒と１つの後筒とを組み合わせてなり、前記前筒の前端の、前記受け片の復元位置に対応する筒壁に、受け片の復元に適する切欠きが設けられ、前筒の後端と前記後筒の前端には、ぞれぞれ相互にアダプトされる組合せ構造が設けられ、前記開口は、前記後筒の、前記前筒と組み合わせる部位の後方の筒壁に設けられている。
【００１８】
本発明の更なる改良による針縮退式安全注射器に用いられる筒型プランジャーには、前記後筒の前端の、前記前筒と組み合わせる部位の外径は、後筒の他の部分の外径よりも小さく、且つ前記前筒の内径と適合し、前記後筒の前端の、前記前筒と組み合わせる部位に位置決めブロックが設けられ、前記前筒の後端の、前記後筒と組み合わせる部位の筒壁には、前記位置決めブロックと適合される位置決め溝または位置決め孔が設けられ、前記第１凸部の後方には、第２凸部が設けられ、且つ第１凸部の突起高さは第２凸部の突起高さと同等又はそれより高く、第１凸部の後端面と前記第２凸部の後端面との間の距離は、前記受け片を、前記押し棒と針が筒体内に縮むまで復元させるのに必要な、支持部材の後向きの変位距離と同等又はそれより長く、組み立てる際に、第１凸部と第２凸部は、共に前記ウインドーに取り付けられると共にウインドーの外に突出しており、第２凸部は前記ウインドーの後端において支承されていることにより、前記支持部材を筒体内に取外し可能に係合させる。
【００１９】
本発明の更なる改良による針縮退式安全注射器に用いられる筒型プランジャーには、１つの保護スリーブを更に有し、前記保護スリーブは、太い筒と細い筒とを連接してなり、太い筒の内径は、前記注射器の針筒の外径より長いか又は同等であり、前記筒体の後部の外壁に、フランジが環状に形成され、細い筒の内径は、筒体の外径と適合し、細い筒の内壁に、前記フランジと係合出来る凹溝が環状に形成され、組み立てる際に、保護スリーブは筒体の後端に組み合わせられ、凹溝とフランジとの係合により固定されており、これにより太い筒が、前記筒体と前記支持部材との間の係合部位を囲む。
【００２０】
本発明の更なる改良による針縮退式安全注射器に用いられる筒型プランジャーには、密封パッキングと圧縮可能な針ストッパーとを更に備え、前記密封パッキングは、前記押し棒と前記筒体の前端の筒壁との間に取り付けられ、前記押し棒の前部に、チャンバーが設けられ、前記針ストッパーは前記チャンバー内に設置され、針ストッパーの前端は、押し棒のチャンバーの開口を閉鎖した後、押し棒の前端に突出する。
【００２１】
本発明の更なる改良による針縮退式安全注射器に用いられる筒型プランジャーには、前記筒体がシールゴムパッキングに組み付けられた後、面一の端部または横方向の歯状突起を有する端部を有する管状前端が露出され、圧縮可能な針ストッパーによって前記押し棒を取替え可能であり、前記針ストッパーは、止め棒と止め棒の後部に設置され且つ該止め棒を支承するスプリングとを有し、針ストッパーを配置するための、前記筒体の前端に設けられたチャンバーは、前チャンバーとリアチャンバーを有し、前記前チャンバーの内径は止め棒の外径と適合され、前記リアチャンバーの内径は止め棒の外径よりも大きく、止め棒の、前記チャンバーに対応する棒本体には、凹溝が環状に設けられ、前記凹溝内に、密封リングが配置され、止め棒の、前記リアチャンバーに対応する棒本体には、少なくとも一周の突起した方向決めリングが設けられ、方向決めリングの外径は前記リアチャンバーの内径と適合され、針ストッパーの前端は、筒体の前端の開口を封じた後、筒体の前端に突出し、針ストッパーの後端は、圧縮可能に前記受け片に支承され、止め棒の前端面に凹溝が設けられ、筒体の管状前端の管壁にも前記凹溝に連通するスリットが設けられる。
【００２２】
本発明の更なる改良による針縮退式安全注射器に用いられる筒型プランジャーには、前記針縮退トリガーを針受け部材によって取り替え可能であり、前記筒体がシールゴムパッキングに組み付けられた後、面一の端部または縦方向の歯状突起を有する端部を有する管状前端が露出させて、針を触発して縮ませる。
【００２３】
本発明の目的を達成するために、本発明は、針縮退制御可能な安全注射器を提供した。当該安全注射器は、針筒と、針が固着された針床と、針床スリーブと、スプリングと、Ｏリングと、押し棒とを備えた針縮退制御可能な安全注射器において、前記押し棒は、請求項１３に記載の筒型プランジャーであり、前記針筒の前端に、針筒の軸方向へ縮小する肩部が形成され、前記肩部から前方へスリーブが延出し、スリーブの、記肩部との連接箇所の内壁にフランジが設けられ、スリーブの外壁には、係合、挿接又はねじ山による連接構造が設けられ、前記針床は、管状体であり、その中間に貫通孔があり、針は針床の貫通孔内に固定され、針床の後端にはラッパ型ベースが設けられ、針床はスリーブ内に取り付けられ、前記Ｏリングは、針床のラッパ型ベースの狭部に被せられ、且つスリーブの内壁上のフランジと嵌合され、針床をスリーブ内に取外し可能に固着し、前記スプリングは針床に取付けられ、その後端が針床のラッパ型ベースに支承され、前記針床スリーブは、後へ開口するチャンバーを有し、その内径はスリーブの外径と適合され、針床スリーブの内壁には、スリーブの外壁上の係合、挿接又はねじ山構造と適合できる係合、挿接又はねじ山構造が設けられ、針床スリーブの密閉前端に１つの針孔が設けられ、針床スリーブが、針床が装着されたスリーブに係合、挿接又はねじ山接続される時、針は前記針孔から伸び出て、針床スリーブの密閉前端はスプリングの前端を押し付け、且つスプリングを該密閉前端と針床のラッパ型ベースとの間に予め押し付け、前記筒型プランジャーは針筒内に取り付けられており、筒型プランジャーが針筒のチャンバーの突き当たりまで押されると、筒型プランジャー上の押し棒又は筒体の管状前端は、Ｏリングを押し進めて全体又は局部的に変位させることにより、針床とスリーブとの間の固着関係を緩めるとともに、針筒の後端は、筒型プランジャーにおける支持部材と筒体との間の係合関係を緩め、支持部材を解放させることを特徴とする針縮退制御可能な安全注射器。
【００２４】
本発明の更なる改良による針縮退制御可能な安全注射器は、針筒と、針が固着された針床と、針床スリーブと、スプリングと、Ｏリングと、押し棒とを備えた針縮退制御可能な安全注射器において、前記押し棒は、請求項１３に記載の筒型プランジャーであり、前記針筒の前端に、針筒の軸方向へ縮小する肩部が形成され、前記肩部から前方へスリーブが延出し、前記針床は、管状体であり、その中間に貫通孔があり、針は針床の貫通孔内に固定され、針床の後端にはラッパ型ベースが設けられ、前記針床スリーブは、１つの第１スリーブと１つの第２スリーブとを有し、第１スリーブの前端は閉塞されながら針孔が設けられ、第２スリーブの後端内壁には、フランジが設けられ、第２スリーブと第１スリーブは、ねじ山、挿接又は係合によって一体に連結され、或いは粘着又は超音波溶接により固定連結され、前記Ｏリングは、針床のラッパ型ベースの狭部に被せられ、且つ第２スリーブの後端の内壁上のフランジと嵌合され、針床を針床スリーブ内に取外し可能に固着し、前記スプリングは針床に取付けられ、その後端が針床のラッパ型ベースに支承され、針床は、針床スリーブ内に取り付けられ、針は第１スリーブの前端の針孔から伸出し、第１スリーブの密閉前端はスプリングの前端を押し付け、且つスプリングを該密閉前端と針床のラッパ型ベースとの間に予め押し付け、針床スリーブと針筒のスリーブは、ねじ山、挿接又は係合方式で取外し可能に連結され、前記筒型プランジャーは針筒内に取り付けられており、筒型プランジャーが針筒のチャンバーの突き当たりまで押されると、筒型プランジャー上の押し棒又は筒体の管状前端は、Ｏリングを押し進めて全体又は局部的に変位させることにより、針床と針床スリーブとの間の固着関係を緩めるとともに、針筒の後端は、筒型プランジャーにおける支持部材と筒体との間の係合関係を緩め、支持部材を解放させる。
【００２５】
本発明の更なる改良による針縮退制御可能な安全注射器には、前記押し棒は、請求項１５に記載の筒型プランジャーであり、前記第１スリーブの前端の針孔は、内向きのラッパ型の構造を有し、前記針床の前部にも、前記ラッパ型構造の形状と適合される錐状構造が設けられ、組み立て後、前記針孔のラッパ型構造と針床の前部の錐状構造とが相互に適合することにより、針床が固着される。
【００２６】
従来技術と比較して、本発明は以下のような著しい有益な技術効果を有している。
【００２７】
１．本発明が提供する改良した針縮退式安全注射器に用いる筒型プランジャー及びこの筒型プランジャーを備えた針縮退制御可能な安全注射器は、構造が一層シンプルで合理であり、加工と組立も易しく、針縮退制御を更に便利にする。
【００２８】
２．本発明による改良した針縮退式安全注射器の筒型プランジャー及びこの筒型プランジャーを備えた針縮退制御可能な安全注射器は、構造が一層コンパクトで合理であって、容積単位が小さく針筒の細めな注射器に適用している。
【発明を実施するための最良の形態】
【００２９】
（実施形態１）
図面１、２、９、１０、１７に示されるように、本実施形態における改良された、針縮退式安全注射器に用いられる筒型プランジャーは、筒体１と、針縮退トリガーと支持部材３とを備えており、前記筒体１の先端部に密封ゴムパッキング５が被せられている。
【００３０】
前記針縮退トリガーは、前端が密封された押し棒２であり、組み立てた後、押し棒２の前端が、筒体１の前端のチャンバーの開口と密封ゴムパッキング５の外に突出し、且つ突出部分は端部が面一である管状構造を呈し、又は端部が縦方向の歯状突起を有する管状構造を呈する。
【００３１】
前記筒体１の前部の筒壁に溝孔１０２が設けられ、溝孔１０２内に１つの受け片４が設けられ、受け片４の一端は溝孔１０２の前側壁と連なっている。組み立てる際に、前記受け片４は、筒体１の筒内へ復元可能に横方向に折り返して、前記針縮退トリガーを支承する。前記筒体１の後部に２つの対向するウインドー１０１が設けられており、前記筒体１の後部の外壁にフランジ１０４が設けられている。
【００３２】
前記押し棒２は、筒体１のチャンバーの前端に設けられ横方向に折り返された受け片４に支承される。
【００３３】
前記支持部材３は筒状体であり、前記筒体１内に設置され、その前端が横方向に折り返された前記受け片４を支承しており、その後端には筒体１の後端開口を密封するための密閉ベース３０１が設けられている。
【００３４】
前記支持部材３の前端筒壁において前記受け片４の復元位置に対応する箇所に、前記受け片４の復元に適合する切欠きが設けられている。
【００３５】
前記支持部材３の後部の筒壁に２つの対向する開口３０２が開けられ、ウインドー１０１の位置と対応しており、各開口３０２の前縁の筒壁には、該筒状体の軸方向に沿って後ろへ延伸する弾性条６が設けられている。
【００３６】
前記弾性条６にはその長手方向に沿って第１凸ブロック６０１と第２凸ブロック６０２が設けられ、前記第１凸ブロック６０１は、塊状体であり、その上部にスロープが設置されており、第２凸ブロック６０２は三角形である。
【００３７】
前記第２凸ブロック６０２の後端面と第１凸ブロック６０１との間の距離は、前記受け片４を、前記押し棒２と針が筒体１内に縮退するまで復元させるのに必要な、支持部材３の後向きの変位距離と同等又はそれより長く、第２凸ブロック６０２の突起高さは第１凸ブロック６０１の突起高さと同等又はそれより低い。組み立てる際に、第１凸ブロック６０１と第２凸ブロック６０２は前記ウインドー１０１に取り付けられると共にウインドー外に突出しており、第２凸ブロック６０２は前記ウインドー１０１の後縁に支承されることで、支持部材３を筒体１内に取外し可能に係合させる。
【００３８】
前記筒型プランジャーは保護スリーブ９を備え、この保護スリーブ９は太い筒９０１と細い筒９０２とで連接されてなる。太い筒９０１の内径は注射器の針筒の外径以上であり、細い筒９０２の内径は前記筒体１の外径と適合される。細い筒９０２の内壁に、筒体１の後部のフランジ１０４と係合できる凹溝９０３が設けられる。前記保護スリーブ９は、筒体１の後端に取付けられ、前記凹溝９０３が前記フランジ１０４との係合により固定され、且つ太い筒９０１に、弾性条６上の第１凸ブロック６０１と第２凸ブロック６０２を囲ませる。これによって、筒型プランジャーの使用前の誤作動による自己破壊を防止する。
【００３９】
本実施形態において、溝孔１０２の前側壁に設けられた受け片４は、筒対１の前部の筒壁から作製されても良い。
【００４０】
（実施形態２）
図面１、２、７、８と１７に示されるように、本実施形態における針縮退式安全注射器に用いられる筒型プランジャーは実施形態１における筒型プランジャーと略同一なものであり、その相違点は、以下の通りである。
【００４１】
前記筒体１の筒壁に設置された前記ウインドー１０１と筒状支持部材３の筒壁に設置された前記開口３０２は、それぞれ一個のみを有し、前記弾性条６も一つだけある。
【００４２】
（実施形態３）
図面２、３、４と１７に示されるように、本実施形態における針縮退式安全注射器に用いられる筒型プランジャーは実施形態１における筒型プランジャーと略同一であり、その相違点は、以下の通りである。
【００４３】
前記筒体１の筒壁に設置された前記ウインドー１０１と筒状支持部材３の筒壁に設置された前記開口３０２は、それぞれ一個のみを有し、前記弾性条６も一つだけある。該弾性条には第１凸ブロックのみが設けられる。
【００４４】
前記支持部材３は、前端が開口し、後端が密閉された筒状体であり、筒状体の後部の筒壁に開口３０２が開けられ、前記開口３０２の後縁の筒壁には、筒状体の軸方向に沿って前方へ延伸する弾性条６が設けられ、前記弾性条６の外壁に第１凸ブロック６０１が設けられ、前記第１凸ブロック６０１は塊状体である。前記筒体１の筒壁が前記第１凸ブロック６０１と対応する位置に、ウインドー１０１が開けられる。組立時に、第１凸ブロック６０１はウインドー１０１の後縁に支承され且つウインドー１０１の外に突出していて、前記支持部材３を筒体１内に外し可能に係合される。
【００４５】
前記筒体１の後部の内壁には、突起した保持リング（図面に図示せず）が一周環状に設けられており、支持部材３を、受け片４が復元後再度に前記保持リングに係止されるまで後へ変位させる。
【００４６】
本実施形態においては、前記第１凸ブロック６０１は半球形であってもいいし、三角形又はトップ面が斜面である他の形状であってもよい。
【００４７】
（実施形態４）
図面１、２、５と１７に示されるように、本実施形態における針縮退式安全注射器に用いられる筒型プランジャーは実施形態３における筒型プランジャーと略同一であり、その相違点は、以下の通りである。
【００４８】
前記弾性条６の外壁に第２凸ブロック６０２も設けられ、該第２凸ブロック６０２は前記第１凸ブロック６０１の後方に設けられ、前記第２凸ブロック６０２の後端面と第１凸ブロック６０１との間の距離は、前記受け片４を、前記押し棒２と針が筒体１内に縮退するまで復元させるのに必要な、支持部材３の後ろ向きの変位距離と同等又はそれより長く、第２凸ブロック６０２の突起高さは第１凸ブロック６０１の突起高さより同等又は小さい。組み立てる際に、第１凸ブロック６０１と第２凸ブロック６０２は前記ウインドー１０１に取り付けられ且つウインドー外に突出しており、第２凸ブロック６０２は前記ウインドー１０１の後縁に支承されることで、支持部材３を筒体１内に取外し可能に係合させる。
【００４９】
（実施形態５）
図面１、２、６と１７に示されるように、本実施形態における針縮退式安全注射器に用いられる筒型プランジャーは実施形態３における筒型プランジャーと略同一なものであり、その相違点は、以下の通りである。
【００５０】
前記支持部材３は筒状体であり、その後部の筒壁に２つの対向する開口３０２が開けられ、各開口３０２の後縁の筒壁には、筒状体の軸方向に沿って前へ延伸する弾性条６が設けられている。
【００５１】
（実施形態６）
図面１１、１２に示されるように、本実施形態における針縮退式安全注射器に用いられる筒型プランジャーは、筒体１と、押し棒２、支持部材３とを備えており、前記筒体１の先端部に密封ゴムパッキング５が被せられており、筒体１と押し棒２及び密封ゴムパッキング５は実施形態４における相応部材の構造と同様である。
【００５２】
前記支持部材３は、前筒と後筒により組み合わせて構成されてなる。前記前筒の前端の、前記受け片４の復元位置に対応する筒壁には、前記受け片４の復元に適する切欠きが設けられ、前筒の後端と前記後筒にはそれぞれ、互いに係合される組合せ構造が設けられている。
【００５３】
前記後筒の、前記前筒と接合される部位の後方の筒壁には、開口３０２が設けられ、前記開口３０２の前側壁には、該筒状体の軸方向に沿って後へ延伸する弾性条６が設けられている。
【００５４】
前記後筒の前端が前記前筒と接合される部位の外径は、後筒の他の部分の外径よりも小さく、しかも前記前筒の内径と適合する。前記後筒の前端の、前記前筒と接合される部位に、１つの位置決めブロック３０５が設置されており、前記前筒の後端の、前記後筒と接合される部位の筒壁に、前記位置決めブロック３０５とアダプトされる位置決め溝又は位置決め孔３０４が設けられている。
【００５５】
前記弾性条６の外壁に、第１凸ブロック６０１と第１凸ブロック６０１の後方に設けられた第２凸ブロック６０２とが設けられ、第１凸ブロック６０１の突起高さは、第２凸ブロック６０２の突起高さより高いか又は同等であり、第１凸ブロック６０１の後端面と前記第２凸ブロック６０２の後端面との間の距離は、前記受け片４を、前記押し棒２と針が筒体１内に縮退するまで復元させるのに必要な、支持部材３の後向きの変位距離より長いか又は同等である。組み立てる際に、第１凸ブロック６０１と第２凸ブロック６０２はいずれも前記ウインドー１０１に取り付けられると共にその外方に突出しており、第２凸ブロック６０２はウインドー１０１の後端に支承されることで、支持部材３を筒体１内に取外し可能に係合させる。
【００５６】
本実施形態における筒型プランジャーは、構造がもっとコンパクトであるため、針筒の細めなミニ注射器に適する。
【００５７】
（実施形態７）
図面１３、１４に示されるように、本実施形態における針縮退式安全注射器に用いられる筒型プランジャーは、実施形態１の筒型プランジャーと略同一であり、その相違点は、以下の通りである。
【００５８】
前記支持部材３は、ベース３０１と、２本の弾性条６及び１本の支承条３０３を備えいる。
【００５９】
支承条３０３の長さは、受け片４が横方向に折り返した後筒体１のチャンバーにおける位置に適合され、支承条３０３の、ベース３０１における設置方向は、受け片４の設置方向と適合される。
【００６０】
前記弾性条６の外壁に、第１凸ブロック６０１が設けられ、前記第１凸ブロック６０１は、塊状体であり、その上部にスロープが設けられる。該弾性条６の上に第２凸ブロック６０２も設けられ、該第２凸ブロックは第１凸ブロックの下方に設けられる。前記第１凸ブロック６０１の下縁面と前記第２凸ブロック６０２の下縁面との間の距離は、前記受け片４を、前記押し棒２と針が筒体１内に縮むまで復元させるのに必要な、支持部材３の後向きの変位距離より長いか又は同等である。前記第２凸ブロック６０２の突起高さは前記第１凸ブロック６０１の突起高さより低いか又は同等である。組み立ての際に、前記第１凸ブロック６０１と第２凸ブロック６０２はいずれも前記ウインドー１０１に取り付けられると共にその外方に突出しており、第２凸ブロック６０２はウインドー１０１の後縁に支承されることで、支持部材３を筒体１内に取外し可能に係合させる。
【００６１】
筒体１が支承条３０３と対応する位置に、前記支承条３０３を収容すると共に位置決めするように、長孔が設けられる。
【００６２】
前記受け片４は横方向に折り返した後、支承条３０３の前端により支承される。
【００６３】
（実施形態８）
図面１５、１５−１、１６、１６−１に示されるように、本実施形態における針縮退式安全注射器に用いられる筒型プランジャーは、実施形態７の筒型プランジャーと略同一であり、その相違点は、以下の通りである。
【００６４】
前記筒体１の前部の筒壁上の溝孔１０２は、筒体１の中後部まで延伸し、筒体１の、溝孔１０２に対向する筒壁に、溝孔１０３も設けられ、溝孔１０３と溝孔１０２の長さは、（図面１５−１に示されるように）等しくてもよく、（図面１５−２に示されるように）等しくなくても良い。
【００６５】
前記支持部材３は、ベース３０１と、２本の弾性条６及び２つの第１凸ブロック６０１を備えている。前記２本の弾性条６は前記ベース３０１の前端面に対向して設置され、且つ筒体１の軸方向に沿って前へ延伸し、その長さと位置はそれぞれ溝孔１０２と溝孔１０３と適合される。
【００６６】
組立の際に、前記第１凸ブロック６０１は、それぞれ２つの溝孔１０２、１０３の後溝縁に支承されると共に溝孔１０２、１０３の外方に突出されることで、支持部材３を筒体１内に取外し可能に係合させる。
【００６７】
各弾性条６の外壁に、第１凸ブロック６０１が設けられ、前記第１凸ブロック６０１の後方に第２凸ブロック６０２が設けられる。前記２つの第１凸ブロック６０１は、塊状体であり、その上部にスロープが設けられる。前記第２凸ブロック６０２は三角形である。
【００６８】
前記第１凸ブロック６０１の後端面と第２凸ブロック６０２の後端面との間の距離は、前記受け片４を、前記押し棒２と針が筒体１内に縮むまで復元させるのに必要な、支持部材３の後向きの変位距離と同等又はそれより長い。前記第２凸ブロック６０２の突起高さは前記第１凸ブロック６０１の突起高さより低いか又は同等である。組み立てる際に、前記第１凸ブロック６０１と第２凸ブロック６０２はいずれも前記溝孔１０２に取り付けられると共にその外方に突出しており、前記第２凸ブロック６０２はウインドー１０１の後縁に支承されることで、支持部材３を筒体１内に取外し可能に係合させる。
【００６９】
前記受け片４は横方向に折り返した後、少なくとも１本の弾性条６の前端により支承される。
【００７０】
（実施形態９）
図面９、１０、１７、１８、２１に示されるように、本実施形態における針縮退式安全注射器に用いられる筒型プランジャーは、実施形態１の筒型プランジャーと略同一であり、その相違点は、以下の通りである。
【００７１】
前記押し棒２の前部に、チャンバーが設けられており、当該チャンバーに圧縮可能な針ストッパー１１が設けられ、針ストッパー１１の前端は押し棒２のチャンバーの開口を封じた後、押し棒２の前端に突出する。
【００７２】
前記押し棒２と前記筒体１の前端の筒壁の間に、シールパッキング１０も設けられている。
【００７３】
（実施形態１０）
図面１７、１９、２０に示されるように、本実施形態における針縮退式安全注射器に用いられる筒型プランジャーは、実施形態９の筒型プランジャーと略同一であり、その相違点は、以下の通りである。
【００７４】
前記筒体１はシールゴムパッキング５が取付けられた後、端部が面一又は端部が縦方向の歯状突起を有する管状前端を露出させ、針縮退トリガーを構成する。
【００７５】
筒型プランジャーは、更に、圧縮可能な針ストッパー１１を備え、前記針ストッパー１１は、止め棒１２と、止め棒１２の後部に套設され且つ前記止め棒１２を支承するスプリング１３とを有する。
【００７６】
前記筒体１の、針ストッパー１１を納置するための前端チャンバーは、前チャンバーとリアチャンバーとを有し、前記前チャンバーの内径は止め棒１２の外径と適合され、前記リアチャンバーの内径は、止め棒１２の外径よりも大きい。
【００７７】
前記止め棒の、前記前チャンバーに対応する棒本体に、凹溝が一周環状に設けられ、前記凹溝内にシールリング１４が配置されている。
【００７８】
前記止め棒の、前記リアチャンバーに対応する棒本体に、少なくとも一周の突起した方向決めリング１５が設けられ、前記方向決めリング１５の外径は前記リアチャンバーの内径と適合される。
【００７９】
前記止め棒１２の前端面に凹溝１２０１が設けられ、筒体１の管状前端の筒壁にも、前記凹溝１２０１に連通されるスリット（図面に図示せず）が設けられる。前記針ストッパー１１の前端は前記筒体１の前端の開口を封じた後、筒体１の前端に突出する。針ストッパーの後端は圧縮可能に前記受け片４に支承される。
【００８０】
（実施形態１１）
本実施形態における針縮退式安全注射器に用いられる筒型プランジャーは、実施形態１の筒型プランジャーと略同一であり、その相違点は、以下の通りである。
【００８１】
針受け部材により前記針縮退トリガーを取り替える。
【００８２】
前記筒体１は、シールゴムパッキング５が取付けられた後、端部が面一又は端部が縦方向の歯状突起を有する管状前端を露出させることにより、針を触発させ縮ませる。該管状前端のチャンバー内に、針を支承するように針支承部材が設置されている。
【００８３】
（実施形態１２）
図面２１に示されるように、本実施形態において針縮退制御可能な安全注射器を提供する。当該安全注射器は、針筒１７と、針が嵌着された針床１８と、針床スリーブ１９と、スプリング２０と、Ｏリング２１と、筒型プランジャーとを備えている。
【００８４】
前記針筒１７は、その前端に針筒１７の軸方向へ縮小する肩部が形成され、前記肩部から前にスリーブ１７０１を延出させる。スリーブ１７０１の、前記肩部と連接される内壁にフランジ１７０２が設けられる。スリーブ１７０１の外壁にも、針床スリーブ１９と連接されるようにフランジ１７０３が設けられる。該フランジ１７０３は、他の係合、挿接、又はねじ山の連結構造で代替してもいい。
【００８５】
前記針床１８は管状体であり、その中間に貫通孔があり、針は針床１８の貫通孔内に固定され、針床１８の後端にはラッパ型ベースが設けられる。
【００８６】
前記Ｏリング２１は、前記針床１８のラッパ型ベースの狭部に取付けられると共にスリーブ１７０１の内壁上のフランジ１７０２と適合して、針床１８をスリーブ１７０１内に取外し可能に固着させる。
【００８７】
前記スプリング２０は、針床１８上に取付けられており、その後端は針床１８のラッパ型ベースにおいて支承される。
【００８８】
前記針床スリーブ１９は、後へ開口するチャンバーを備えており、その内径はスリーブ１７０１の外径と適合され、針床スリーブ１９の内壁には、スリーブ１７０１の外壁上のフランジ１７０３と係合可能な凹溝１９０１が設けられる。該フランジ１７０３を他の係合、挿接又はねじ山の連接構造と取替える場合は、該凹溝１９０１は、該フランジ１７０３と取り替えられた係合、挿接又はねじ山の連接構造と係合可能な他の係合、挿接又はねじ山の連接構造と取り替え可能である。針床スリーブ１９の密閉前端に、針孔が設けられ、針床スリーブ１９が、針床１８が取り付けられたスリーブ１７０１に係合されると、針が針孔から伸出し、針床スリーブ１９の密閉前端はスプリング２０の前端を押し付け、且つスプリング２０を該密閉前端と針床１８のラッパ型ベースの間に予め押し付ける。
【００８９】
前記押し棒は、実施形態９における針縮退安全注射器に用いられる筒型プランジャーを用いる。
【００９０】
前記筒型プランジャーは針筒１７内に装着され、筒型プランジャーが針筒１７のチャンバーの突き当たりまで押されると、押し棒２又は筒体１の管状前端は、Ｏリング２１を押し進めて全体又は局部的に変位させることにより、針床１８とスリーブ１７０１との間の固着関係を緩めると共に、針筒１７の後端は、前記筒型プランジャーにおける支持部材３と筒体１の係合関係を緩める。
【００９１】
（実施形態１３）
図面２２に示されるように、本実施形態において、針縮退制御可能な安全注射器が提供されており、その構造は実施形態１２におけるに針縮退制御可能な安全注射器と略同一であり、その相違点は、以下の通りである。
【００９２】
前記押し棒は、実施形態１０における針縮退安全注射器に用いられる筒型プランジャーを用いる。
【００９３】
前記針床スリーブ１９の前端の針孔は、内向きのラッパ型構造を備え、前記針床１８の前部にも前記ラッパ型構造の形状と適合される錐状構造が設けられる。組立後、前記針孔のラッパ型構造は針床１８の前部の錐状構造と相互に適合されることにより針床１８を固定させる。
【００９４】
（実施形態１４）
図面２３、２６に示されるように、本実施形態において針縮退制御可能な安全注射器が提供される。当該安全注射器は、針筒１７と、針が嵌着された針床１８と、針床スリーブ１９と、スプリング２０と、Ｏリング２１と、押し棒とを備えている。
【００９５】
前記針筒１７は、その前端に針筒１７の軸線へ縮小する肩部が形成され、前記肩部から前へその直径が針筒１７の直径よりも小さいスリーブ１７０１を延出させる。
【００９６】
前記針床１８は管状体であり、その中間に貫通孔があり、針は針床１８の貫通孔内に固定され、針床１８の後端にはラッパ型のベースが設けられる。
【００９７】
前記針床スリーブ１９は、第１スリーブ１９０２と第２スリーブ１９０３とを備えており、前記第１スリーブ１９０２の前端は、密閉されており、且つ針孔が設けられる。前記第２スリーブ１９０３の後端内壁にフランジ１９０４が設けられる。前記第２スリーブ１９０３は、ねじ山、係合又は挿接の連接方式を介して第１スリーブ１９０２と一体に連接される。
【００９８】
前記Ｏリング２１は、前記針床１８のラッパ型ベースの狭部に設けられると共に、第２スリーブ１９０３の後端内壁上のフランジ１９０４と適合して、針床１８を針床スリーブ１９内に取外し可能に固着させる。
【００９９】
前記スプリング２０は、針床１８上に取付けられており、その後端は針床１８のラッパ型ベースにおいて支承される。
【０１００】
前記針床１８は、前記針床スリーブ１９内に取り付けられ、針は前記第１スリーブ１９０２の前端の針孔から伸出し、前記第１スリーブ１９０２の密閉前端は前記スプリング２０の前端を押し付け、且つスプリング２０を該密閉前端と針床１８のラッパ型ベースとの間に予め押し付ける。
【０１０１】
前記針床スリーブ１９は、ねじ山、挿接又は係合の方式を介して前記針筒のスリーブ１７０１と一体に連結される。
【０１０２】
前記押し棒は、実施形態１における針縮退安全注射器に用いられる筒型プランジャーを用いる。
【０１０３】
前記筒型プランジャーは針筒１７内に装着され、筒型プランジャーが針筒１７のチャンバーの突き当たりまで押されると、そのトップ端は、Ｏリング２１を押し進めて全体又は局部的に変位させて、針床１８と針床スリーブ１９との間の固着関係を緩めると共に、針筒１７の後端は、前記筒型プランジャーにおける支持部材３と筒体１との係合関係を緩め、また前記支持部材３を解放させる。前記第１スリーブ１９０２の前端の針孔は、内向きのラッパ型の構造を有し、前記針床１８の前部にも、前記ラッパ型構造の形状とアダプトされる錐状構造が設けられる。組み立て後、前記針孔のラッパ型構造は、針床１８の前部の錐状構造と相互にアダプトされることにより針床１８を固着する。
【０１０４】
（実施形態１５）
図面２４、２５と２６に示されるように、本実施形態において針縮退制御可能な安全注射器が提供される。その構造は実施形態１４における針縮退制御可能な安全注射器と略同一であり、その相違点は、以下の通りである。
【０１０５】
前記押し棒は、実施形態８における針縮退安全注射器に用いられる筒型プランジャーを用いる。
【０１０６】
前記第１スリーブ１９０２の前端の針孔は、内向きのラッパ型構造を備え、前記針床１８の前部にも前記ラッパ型構造能形状とアダプトされる錐状構造が設けられる。組立後、前記針孔のラッパ型構造は針床１８の前部の錐状構造と相互にアダプトされることにより針床１８を固定させる。
【０１０７】
（実施形態１６）
本実施形態において針縮退制御可能な安全注射器が提供される。その構造は実施形態１４における針縮退制御可能な安全注射器と略同一であり、その相違点は、以下の通りである。
【０１０８】
前記押し棒は、実施形態１１における針縮退安全注射器に用いられる筒型プランジャーを用いる。
【０１０９】
前記針床スリーブ１９の前端の針孔は、内向きのラッパ型構造を備え、前記針床１８の前部にも前記ラッパ型構造能形状とアダプトされる錐状構造が設けられる。組立後、前記針孔のラッパ型構造は針床１８の前部の錐状構造と相互にアダプトされることにより針床１８を固定させる。
【０１１０】
以下、図面２１及び図面２７を例にして本発明の基本的な作動原理について説明する。
【０１１１】
図面２１に示されるのは、実施形態９における筒型プランジャー及び実施形態１２における針縮退制御可能な安全注射器の断面図である。使用者が支持部材３のベース３０１を押し進めて筒型プランジャーを針筒１７前端のチャンバーの突き当りまで押すと、押し棒２又は筒体１の管状前端はＯリング２１を押し進めて全体又は局部的に変位させることにより、針床１８とスリーブ１７０１との間の固着関係を緩める。又、第１凸ブロック６０１が針筒１７の後端から後向きの押付け力を受けるため、弾性条６は筒体１の内部へ曲がって、支持部材３を筒体１との接合から外させる。使用者がベース３０１に作用された力を除去すると、予め押し付けたスプリング２０は後向きの力を生じさせて、支持部材３を後方へ変位させて受け片４を復元させると共に、針を筒体内に縮ませる。図面２７に示されるようである。
【０１１２】
以上については、いくつか例示性の実施形態を説明したが、本質的に本発明の新規な技術内容及び優越性を離れない場合に、例示した実施形態の中で多くの変更をすることができることは、当領域の技術者にとって明らかであろう。そのため、すべての変更は本発明の請求の範囲に限定される範囲内で含むべきである。
【図面の簡単な説明】
【０１１３】
【図１】本発明の実施形態１における改良された針縮退式安全注射器の筒型プランジャー断面図。
【図２】図１における筒型プランジャーの押し棒の断面図。
【図３】本発明の実施形態３における筒型プランジャーの支持部材の断面図。
【図４】本発明の実施形態３における筒型プランジャーの支持部材の立体図。
【図５】本発明の実施形態４における筒型プランジャーの支持部材の断面図。
【図６】本発明の実施形態５における筒型プランジャーの支持部材の断面図。
【図７】本発明の実施形態２における筒型プランジャーの筒体の断面図。
【図８】本発明の実施形態２における筒型プランジャーの支持部材の断面図。
【図９】本発明の実施形態１及び９における筒型プランジャーの筒体の断面図。
【図１０】本発明の実施形態１及び９における筒型プランジャーの支持部材の断面図。
【図１１】本発明の実施形態６における筒型プランジャーの断面図。
【図１２】本発明の実施形態６における筒型プランジャーの支持部材の立体図。
【図１３】本発明の実施形態７における筒型プランジャーの支持部材の断面図。
【図１４】本発明の実施形態７における筒型プランジャーの筒体の立体図。
【図１５】本発明の実施形態８における筒型プランジャーの支持部材の立体図。
【図１５−１】本発明の実施形態８における筒型プランジャーの支持部材の立体図。
【図１６】本発明の実施形態８における筒型プランジャーの筒体の立体図。
【図１６−１】本発明の実施形態８における筒型プランジャーの筒体の立体図。
【図１７】本発明の各実施形態における保護スリーブの断面図。
【図１８】本発明の実施形態９における筒型プランジャーの針ストッパーの断面図。
【図１９】本発明の実施形態１０における筒型プランジャーの断面図。
【図２０】本発明の実施形態１０における筒型プランジャーの前部拡大断面図。
【図２１】本発明の実施形態９における筒型プランジャー及び実施形態１２における針縮退制御可能な安全注射器の断面図。
【図２２】本発明の実施形態１３における針縮退制御可能な安全注射器の断面図。
【図２３】本発明の実施形態１４における針縮退制御可能な安全注射器の断面図。
【図２４】本発明の実施形態１５における針縮退制御可能な安全注射器の断面図。
【図２５】図面２４における針縮退制御可能な安全注射器の中央線断面図。
【図２６】実施形態１４及び実施形態１５における針縮退制御可能な安全注射器の針の拡大断面図。
【図２７】針縮退制の状態の実施形態９及び実施形態１２における針縮退制御可能な安全注射器の断面図。
【図１】
2008253767.tif 000003
【図２】
2008253767.tif 000004
【図３】
2008253767.tif 000005
【図４】
2008253767.tif 000006
【図５】
2008253767.tif 000007
【図６】
2008253767.tif 000008
【図７】
2008253767.tif 000009
【図８】
2008253767.tif 000010
【図９】
2008253767.tif 000011
【図１０】
2008253767.tif 000012
【図１１】
2008253767.tif 000013
【図１２】
2008253767.tif 000014
【図１３】
2008253767.tif 000015
【図１４】
2008253767.tif 000016
【図１５】
2008253767.tif 000017
【図１５−１】
2008253767.tif 000018
【図１６】
2008253767.tif 000019
【図１６−１】
2008253767.tif 000020
【図１７】
2008253767.tif 000021
【図１８】
2008253767.tif 000022
【図１９】
2008253767.tif 000023
【図２０】
2008253767.tif 000024
【図２１】
2008253767.tif 000025
【図２２】
2008253767.tif 000026
【図２３】
2008253767.tif 000027
【図２４】
2008253767.tif 000028
【図２５】
2008253767.tif 000029
【図２６】
2008253767.tif 000030
【図２７】
2008253767.tif 000031